(57)【特許請求の範囲】
【請求項１】
鉱業および採石業において使用されるスクリーンデッキに取り付けられるスクリーンパネルであって、
１つまたは複数のライダバーを有するスクリーニング部分と、底部補強部分と、を含んでおり、
前記スクリーニング部分が、スクリーンパネルを貫通する開口部を有するスクリーニング面を画定しており、
前記ライダバーが前記スクリーニング面上に延在しており、かつ、前記ライダバーの縁部が前記開口部の縁部に整列しており、
前記ライダバーがさらに、矩形の垂直断面を有しており、かつ、前記スクリーニング部分および前記補強部分の少なくともいずれか一方に対して交換可能に取り付けられるための、ボタン型滑り嵌めを備えている、スクリーンパネル。
【請求項２】
前記開口部が、その断面積が下面よりも上面において小さくなるように、上面から下面に向かって広がっており、かつ、耐擦傷性を有しており、前記スクリーンパネルが層化を促進するように適合されている、請求項１に記載のスクリーンパネル。
【請求項３】
前記１つまたは複数のライダバーを有するスクリーニング部分および前記補強部分が、複数のモジュール式ユニットとして構成されるように適合されている、請求項１に記載のスクリーンパネル。
【請求項４】
前記ライダバーが、ポリウレタン、ゴムおよび鋼の少なくともいずれかから構成されており、前記補強部分が、ゴムおよびポリウレタンのいずれか一方により高温加硫または鋳造によって作製された枠である、請求項１に記載のスクリーンパネル。
【請求項５】
前記スクリーンパネルのスクリーニング部分が、鋼による補強の有無に関らず、軟鋼、ステンレス鋼、ゴムおよびポリウレタンのうちのいずれか１つまたはそれらの組合せから作製されている、請求項１に記載のスクリーンパネル。
【請求項６】
前記スクリーンパネルの補強部分が、ボタン型滑り嵌め、ピンおよびラグ機構、ボルト締めのいずれかにより、機械の枠に取り付けられている、請求項１〜５のいずれか一項に記載のスクリーンパネル。
【請求項７】
複数のスクリーンパネルが取り付けられている、鉱業および採石業用のスクリーニングデッキであって、
前記スクリーンパネルの各々が、１つまたは複数のライダバーを有するスクリーニング部分と、底部補強部分と、を有しており、
前記スクリーニング部分が、スクリーンパネルを貫通する開口部を有するスクリーニング面を画定しており、
前記ライダバーが前記スクリーニング面上に延在しており、かつ、前記ライダバーの縁部が前記開口部の縁部に整列しており
前記ライダバーが、矩形の垂直断面を有しており、さらに、前記スクリーニング部分および前記補強部分の少なくともいずれか一方に対して交換可能に取り付けられるための、ボタン型固定具を備えている、スクリーニングデッキ。
【請求項８】
前記複数のモジュール式ユニットの各々が、３０５ｍｍ×３０５ｍｍ、３００ｍｍ×３００ｍｍおよび６１０ｍｍ×３００ｍｍのうちのいずれかの寸法を有している、請求項３に記載のスクリーンパネル。
【発明の詳細な説明】
【技術分野】
【０００１】
本発明は、概して、鉱業および採石業における鉱物のスクリーニング（ふるい分け）／選別または分級用のスクリーニングパネル、特に、交換可能なライダバー部分を備えたスクリーンパネルに関する。
【背景技術】
【０００２】
現在鉱業によって広く使用されている鉱石スクリーニングデッキ用のスクリーニングパネルシステムが、初期のスクリーニング布および大型のワイヤスクリーニングフレームに取って代わっている。これらのスクリーニングパネルは、鋼補強材を備えたゴム製またはポリウレタン製であることが知られている。こうしたパネルは、高温加硫法または鋳造によって製造されることも知られている。パネルは、ボルト締めによりふるい機の支持枠に固定される。パネルを、ピンおよび別個のラグ機構を用いて別の方法により枠に固定することも可能である。
【０００３】
主流となっている上記パネルを用いる際に直面する問題は、スクリーニング作業中、塊または大きい粒子がこれらのパネルに実質的な影響をもたらす、ということである。したがって、パネルは、より速い速度で摩耗するようになる。正確には、スクリーニング部分は、一定の使用ならびに結果としての摩耗および引裂けにより損壊し、所定期間の作業の後、スクリーンパネル全体が使用に不適当となる。また、スクリーニング効率が低いため、スクリーニングされた材料において達成される層化（ｓｔｒａｔｉｆｉｃａｔｉｏｎ）が不十分である。
【発明の概要】
【発明が解決しようとする課題】
【０００４】
したがって、スクリーンパネルの耐用年数が実質的に長くなり、同時にスクリーニング効率が向上するように、スクリーニング部分に交換可能部分を有する、鉱業および採石業での用途のための改良されたスクリーンパネルを設計することに対する、長年にわたる要求がある。
【課題を解決するための手段】
【０００５】
本発明は、上述した長年にわたる要求を満たす。
特許請求の範囲を含む本明細書全体を通して、「スクリーンパネル」、「採鉱」、「採石」、「鉱物」、「鉱石」、「耐擦傷性（ａｂｒａｓｉｏｎ  ｒｅｓｉｓｔａｎｔ）」、「耐摩耗性」、「ライダバー」、「補強部分」という語は、当業者に明らかであり得るように、それぞれの用語の最も広い意味で解釈されるべきであり、かつ、他の用語によって既知である本技術分野における同様のすべての項目を含む。本明細書において制限／限定への言及がある場合、それは単に例としてかつ本発明を理解する目的のものである。
【０００６】
本発明の主な目的は、鉱業および採石業における用途のために交換可能なライダバーを備えたスクリーニング部分を有するスクリーンパネルを提供することである。
本発明のさらなる目的は、耐用年数がより長くかつ可撓性を有するスクリーンパネルを提供することである。
【０００７】
本発明のさらなる目的は、スクリーニングされた材料の層化を促進するように適合されたスクリーンパネルを提供することである。
本発明のさらに別の目的は、製造および作業のコストが実質的に低いスクリーンパネルを提供することである。
【０００８】
上述した目的がどのようにして達成されるか、および本発明の他の態様については、以下の説明から明らかとなろう。以下の説明は、単に理解を目的とするものであって、いかなる種類の限定をも目的とするものではない。
【０００９】
したがって、本発明は、少なくとも、１つまたは複数のライダバーを有するスクリーニング部分と底部補強部分とを含む、スクリーンデッキに取り付けられるように適合された、鉱業および採石業用のスクリーンパネルであって、前記ライダバーが、必要に応じてかつ必要な場合に前記スクリーニング部分から交換されるように設計されているスクリーンパネルを提供する。
【００１０】
本発明のスクリーンパネルの好ましい実施形態によれば、
−前記スクリーンパネルのスクリーニング部分は、外側に広がる設計を有する耐擦傷性開口部を有し、前記スクリーンパネルは、層化を促進するように適合されており、
−前記１つまたは複数のライダバーを有するスクリーニング部分および前記補強部分は、複数のモジュール式ユニットとして構成されており、
−前記ライダバーは、ボタン型滑り嵌め、ピンおよびラグ機構、ボルト締め、または何らかのスロットにより、前記スクリーニング部分および／または前記補強部分の一部に取り付けられており、
−前記ライダバーは、ポリウレタン／ゴム／鋼から構成されており、前記補強部分は、ゴムまたはポリウレタンにより高温加硫または鋳造によって作製された枠であり、
−前記パネルのスクリーニング面は、鋼による補強の有無に関らず、軟鋼、ステンレス鋼、ゴムおよび／またはポリウレタンのうちのいずれか１つまたはそれらの組合せから作製されており、
−前記パネルの補強部分は、ボタン型滑り嵌め、ピンおよびラグ機構またはボルト締めにより、機械の枠に取り付けられている。
【００１１】
本発明はまた、スクリーンデッキに取り付けられるように適合された、鉱業および採石業用のスクリーンパネルを製造する方法であって、スクリーニング部分および少なくとも底部補強部分を設計するステップと、本明細書に記載するような方法で、１つまたは複数のライダバーを前記スクリーニング部分の上に位置するように脱着可能に取り付けるステップと、前記スクリーニング部分および前記補強部分を、前記ライダバーを必要に応じてかつ必要な場合に交換することができるように取り付けるステップとを含む方法も提供する。
【００１２】
本発明はまた、複数のスクリーンパネルが取り付けられている、鉱業および採石業用のスクリーニングデッキであって、前記パネルの各々が、少なくとも、１つまたは複数のライダバーを有するスクリーニング部分と底部補強部分とを備え、前記ライダバーが、必要に応じてかつ必要な場合に前記スクリーニング部分から交換されるように、前記スクリーンパネルが設計されている、スクリーニングデッキも提供する。
【００１３】
本発明の特質および範囲は、いくつかの好ましい実施形態を例示することを目的とし、いかなる種類の限定をも目的とするものではない、添付の図面からよりよく理解されるであろう。添付図面は以下の通りである。
【図面の簡単な説明】
【００１４】
【図１】本発明の好ましい実施形態によるスクリーニング面を示す平面図。
【図２】図１における線Ａ−Ａに沿ったスクリーニング面を示す断面図。
【図３】本発明の好ましい実施形態によるライダバーの好ましい実施形態を示す拡大平面図。
【発明を実施するための形態】
【００１５】
以下は、本発明の好ましい実施形態を説明しており、その実施形態は、単に本発明の実施を理解するためのものであって、いかなる種類の限定をも目的とするものではない。
原則的に、本発明は、層化を促進することによってスクリーニング効率を向上させるとともにパネルの摩耗を防止する、鉱石をスクリーニングするスクリーニング装置を提供することを目的とする。したがって、パネルの耐用年数が長くなる。これは、交換可能なライダバーを備えたスクリーニング部分を有するスクリーンパネルを設計することによってなされる。この技術により、スクリーニング効率が大幅に向上すると同時に、その一意のライダバー設計を用いて大幅に摩耗が防止される。ポリウレタン／ゴムは、スクリーニング面と接触する材料の衝撃を受けるのに役立ち、開口部は、その外側に広がる設計（図示せず）のために目詰まりを防止する。ライダバーが実質的に摩耗した場合、摩耗したライダバーを新しいライダバーと交換することができ、したがって、スクリーニング部分全体またはさらに言えばスクリーニングパネル全体を交換する必要がなくなる。
【００１６】
本発明により、モジュール式パネルを保護することによって摩耗が大幅に防止され、交換可能なライダバーがあるためにスクリーニング効率が向上する。これにより、スクリーニングされた材料の層化が促進される。
【００１７】
パネルは、ゴムまたはポリウレタンによる高温加硫または鋳造によって製造され、パネルの縁面の下でパネル固定枠によって外部から補強／支持されている。パネルは、スクリーニング部分にボタン固定スロットを有し、その中に、ボタン型ライダバー、すなわち交換可能なライダバーが、たとえば単純に圧入により固定される。添付の図１は、本発明によるスクリーンパネルの好ましい実施形態のスクリーニング面を示す。図１は、添付の図２および図３に最もよく示す、ライダバー（３）のボタン型固定用のスロット（１）を示す。添付の図１はまた、ラグおよびピンを介して枠に取り付けられたスクリーンパネル（２）も示す。
【００１８】
上記文脈では、ここで、スクリーンパネル（２）、正確に言えば補強部分を、当業者には既知であるように、ボタン型、ボルト締め型、ピンおよびラグ型により、または他のあらゆる好適な技法により枠に取り付けることができ、本発明は、こうした技法すべても包含することが明らかである。これはまた、同様にパネルのスクリーニング部分上のライダバー（３）の取付機構にも当てはまる。添付の図２および図３は、こうした技法の１つのみを示す。別法として、ライダバーを、この場合も同様に補強部分に取り付けることができ、その大部分がスクリーニング部分に位置することが確実になる。
【００１９】
ここで、添付の図２を参照すると、ライダバー（３）が好ましくはボタン型固定具（４）をいかに有するかを示す。これは、同様の参照符号が同様の特徴を表す添付の図３からさらに明らかとなる。パネルのスクリーン部分はスロット（１）（図１に示す）を有し、その中に、突起（４）が、滑り嵌めによって脱着可能に取り付けられる。このスロットは、別法として、同様に補強部分にあってもよい、その場合、ライダバーを補強部分に取り付けなければならず、それによりその大部分がスクリーニング部分に位置することが確実になる。
【００２０】
塊サイズの粒子は、主スクリーニングゾーンに接触しない（またはほとんど接触しない）ため、スクリーニングゾーン全体またはパネルを交換する必要はない。単に、スクリーニングゾーンのライダバーの交換のみが行われる。スクリーンパネル全体またはさらに言えばスクリーニングゾーン全体を交換する必要がない。これにより、スクリーンパネルのより長い耐用年数を確実にすることが容易になり、同時に、低い作業コストが確実になる。したがって、ライダバーは、スクリーニング要素の寿命を長くするとともに、作業コストを低減する。
【００２１】
さらに、ライダバーは、スクリーニングされた材料の層化の促進も確実にし、したがって、当業者に理解されるように、スクリーニング効率が向上する。特に、これは、スクリーニングされる材料が実際に粒子サイズに従って厳密にスクリーニングされ、それによっていかなる目詰まりまたは欠陥ある／間違ったスクリーニングが発生しないように、損傷したライダバーを時々交換することによって達成される。このため、層化の促進が達成される。
【００２２】
スクリーンパネルは、好ましくは、標準モジュール式タイプであり、すなわち、３０５ｍｍ×３０５ｍｍ、３００ｍｍ×３００ｍｍ、６１０ｍｍ×３００ｍｍまたは同様のものが、モジュール式パネルの利点のすべてを有し、すなわち、扱いが容易であり、同様の用途に対する既存のパネルに比較してダウンタイムがはるかに短い。さらに、パネルを、標準のモジュール式サイズから介してあらゆるサイズとすることができる。ライダバーは、上述したように、摩耗した時に容易に交換可能である。このため、ライダバーのみを交換することにより、かなりの期間、スクリーンパネル全体を交換することなくスクリーンを使用することができる。これにより、同様にスクリーンパネルが経済的になる。この技術は、ゴム製パネルおよびポリウレタン製パネル両方に適用可能である。
【００２３】
理想的には、スクリーニング面は、鋼による補強の有無に関らず、軟鋼、ステンレス鋼、ゴムおよび／またはポリウレタンのうちのいずれか１つまたはそれらの組合せから作製される。
【００２４】
包括的なパネルは、好ましくは、加硫材料、ゴムおよび／またはポリウレタンを含み、前記パネル内部には、前記パネルの外縁にかつ前記パネルの内部領域を横切って延在する鋼補強バーが埋め込まれており、前記スクリーニング面に対する支持が提供される。
【００２５】
さらに、本出願人の特許番号第２３１４５３号によって保護されているように、交換可能なライダバーの固定を、固定手段を与えるボタン型滑り嵌めによって行うことができる。上で説明したように、本発明により、他のタイプの固定機構も包含される。たとえば、滑り嵌め型の機構の代りに、パネルの２つの部分を固定するために、かつ、パネルを機械の枠に取り付けるために、ピンおよびラグ型固定機構があり得る。別法として、ボルト型の固定機構もあり得る。
【００２６】
本発明によるスクリーンパネルを製造する方法は、スクリーニング部分および少なくとも底部補強部分を設計するステップと、本明細書に記載したような方法で、１つまたは複数のライダバーを前記スクリーニング部分の上に位置するように脱着可能に取り付けるステップと、前記ライダバーを必要に応じてかつ必要な場合に前記スクリーニング部分から交換することができるように、前記スクリーニング部分および前記補強部分を取り付けるステップとを含む。
【００２７】
本発明を、いくつかの図面および好ましい実施形態を参照して説明してきたが、これらは単に理解のためであり、いかなる限定も目的としていない。本発明は、本明細書に前述し添付の特許請求の範囲において請求するものの範囲内にあるすべての妥当な展開形態を含む。
【図１】
0005976018.tif 000002
【図２】
0005976018.tif 000003
【図３】
0005976018.tif 000004